(57)【特許請求の範囲】
【請求項１】
相手側部材へ取り付けるブラケットと、
前記ブラケットを覆うように前記ブラケットに組み付けたガーニッシュと、
前記ブラケットの一端部側に設けたコントローラと、
表示部を有し前記ブラケットの他端部側にヒンジを介して回動可能に取り付けた回動部材と、
前記ブラケットと前記ガーニッシュとの間に形成した内部空間を通って前記コントローラと前記表示部とを電気的に接続するフラットケーブルと、
前記ブラケットの前記内部空間側の面に取り付けられて前記フラットケーブルを前記ガーニッシュに向けて弾性力で付勢可能なブラケット側弾性部材と、
前記ブラケット側弾性部材から前記フラットケーブルの長さ方向に離れた位置にある前記ガーニッシュの前記内部空間側の面に取り付けられて前記フラットケーブルを弾性力で前記ブラケットへ向けて付勢可能なガーニッシュ側弾性部材とを備え、前記回動部材の回転中心軸は、前記フラットケーブルの長さ方向と前記ブラケットから前記ガーニッシュに向かう方向とに直交する方向であることを特徴とするディスプレイ装置。
【請求項２】
前記ブラケット側弾性部材と前記ガーニッシュ側弾性部材とのうち、前記ヒンジに最も近い位置に配置した前記弾性部材を前記ガーニッシュ側弾性部材としたことを特徴とする請求項１に記載のディスプレイ装置。
【請求項３】
前記ブラケット側弾性部材と前記ガーニッシュ側弾性部材との前記フラットケーブルを付勢する面がフラットな面であることを特徴とする請求項１または２に記載のディスプレイ装置。
【請求項４】
前記ガーニッシュ側弾性部材により前記ブラケットへ向けて付勢される前記フラットケーブルの面積を、前記ブラケット側弾性部材により前記ガーニッシュへ向けて付勢される前記フラットケーブル面積より大きくするとともに、前記ブラケットは電磁波ノイズからシールド可能な材料からなることを特徴とする請求項１から３のいずれかに記載のディスプレイ装置。
【請求項５】
前記ブラケット側弾性部材と前記ガーニッシュ側弾性部材とは３個として、これらを交互に前記ブラケットと前記ガーニッシュの前記内部空間側の面に取り付けたことを特徴とする請求項１から４のいずれかに記載のディスプレイ装置。
【請求項６】
前記ブラケット側弾性部材と前記ガーニッシュ側弾性部材が、スポンジであることを特徴とする請求項１から５のいずれかに記載のディスプレイ装置。
【請求項７】
前記ブラケット側弾性部材と前記ガーニッシュ側弾性部材とは、前記表示部の前記ガーニッシュ側への収納時、前記フラットケーブルを前記ヒンジの回動中心軸に対し前記コントローラと反対側の位置で前記内部空間から取り出し前記表示部へ受け渡すようにしたことを特徴とする請求項１から６のいずれかに記載のディスプレイ装置。
【請求項８】
前記ブラケットを車両の天井側に取り付け、前記回動部材が前記表示部を前記ガーニッシュに対面させる収納位置と、前記表示部を前記収納位置より下方に位置させるオープン位置と、前記表示部を前記収納位置と反対側まで回動させる緊急退避位置とを取りうることを特徴とする請求項１から７のいずれかに記載のディスプレイ装置。
【発明の詳細な説明】
【０００１】
【発明の属する技術分野】
本発明は、車両の天井等へ取り付けたブラケットに対し回動可能とした表示部を、この表示部から離れた位置にあるコントローラで操作可能としたディスプレイ装置に関する。
【０００２】
【従来技術】
従来、この種のディスプレイ装置は、車両の天井に取り付けたブラケットの一端側に乗員が操作可能なスイッチ類を設けたコントローラが固定され、ブラケットの他端側にヒンジを介して取り付けた回動部材に表示部が設けられるとともに、ブラケットとこれを覆うガーニッシュとの間に形成された内部空間内を通って表示部とコントローラとをフラットケーブルで電気的に接続してある。
そして、ディスプレイ装置の非使用時には回動部材をブラケット側に重ねるように回動させて表示部をガーニッシュに対面させた状態で収納し、表示部を見るときは回動部材をコントローラから遠ざかる方向に回動させて表示部を垂直下方あるいはこれに近い範囲のオープン位置まで下降させるようにしている。
【０００３】
また、上記従来のディスプレイ装置では、表示部を下方へ突出させたオープン状態でのカーブ走行時や急ブレーキ時、あるいは停車中であっても乗員の動きによっては乗員の身体の一部が表示部に激しく当たることがあるので、この場合乗員の安全およびディスプレイ装置の破損防止を図る目的で、表示部に過度の力がオープン方向へ作用した場合には、回動部材をオープン位置よりさらにコントローラから遠ざかる方向に回動させて表示部を退避させる緊急退避位置まで可動するようにしてある。
【０００４】
【発明が解決しょうとする課題】
しかしながら、このような従来のディスプレイ装置では、ディスプレイ装置の組立時にコントローラと表示部との間のフラットケーブルによる接続が容易になるように、また回動部材が上記収納位置から緊急退避位置までの範囲で回動してもフラットケーブルに過度のテンション力や折れ曲がりが生じないようにするため、フラットケーブの長さにかなりの余裕を持たせてある。また、ブラケット側と回動部材との間でフラットケーブルの受渡を行なうためブラケット側と回動部材とにそれぞれ設けられた受渡口が回動部材の回動中心軸からずれた位置にあって相対移動することが避けられない。
【０００５】
したがって、回動部材の収納位置からオープン位置までの回動範囲にあっては、回動部材がブラケットに対して９０度かこれよりやや大きい角度程度までしか回動しないので、回動部材側の受渡口をガーニッシュで覆い隠すことができ、この場合フラットケーブルが受渡口から外部へはみ出してくることはないものの、緊急退避時には回動部材がブラケットに対し角度１８０度近くまで回動され、回動部材側の受渡口がブラケットやガーニッシュからかなり離れた位置で露出する。
【０００６】
この結果、上記内部空間に入っていたフラットケーブルの一部が、受渡口から外部へ大きく引き出されてしまい、この状態のまま表示部を収納時位置まで戻すように回動させると、フラットケーブルのはみ出し部分がガーニッシュと回動部材とに挟み込まれて損傷することがある。
本発明は、このような問題を解決するためになされたもので、表示部を有する回動部材が緊急退避位置まで動かされた場合でもフラットケーブルが回動部材やガーニッシュから外部へ大きくはみ出すのを抑止することができるディスプレイ装置を提供するものである。
【０００７】
【課題を解決する手段】
本発明のディスプレイ装置は、相手側部材へ取り付けるブラケットとブラケットを覆うようにブラケットに組み付けたガーニッシュと、ブラケットの一端部側に設けたコントローラと、表示部を有しブラケットの他端部側にヒンジを介して回動可能に取り付けた回動部材と、内部空間内を通ってコントローラと表示部とを電気的に接続するフラットケーブルと、ブラケットの内部空間側の面に取り付けられてフラットケーブルをガーニッシュに向けて弾性力で付勢可能なブラケット側弾性部材と、ブラケット側弾性部材からフラットケーブルの長さ方向に離れた位置にあるガーニッシュの内部空間側の面に取り付けられてフラットケーブルを弾性力で付勢可能なガーニッシュ側弾性部材とを備えた構成とする。この構成により、回動部材が緊急退避位置までブラケットに対し大きく回動しても、フラットケーブルの内部空間内にある部分にブラケット側弾性部材とガーニッシュ側弾性部材との弾性力でこれらの対向面へ向けて付勢されて発生する対向面との接触摩擦力によるフラットケーブル引き出し抵抗力を作用し、またこれらの弾性部材の高さ方向およびせん断方向の変形によりフラットケーブルをこれが一直線状になる方向として一時的に逃がしその後弾性復帰により引き戻すので、フラットケーブルがガーニッシュや回動部材から外部へ大きく引き出されるのを防止できる。したがって、このまま回動部材を回動部材がガーニッシュに対面する収納位置まで戻した場合でも、フラットケーブルが損傷されるのを防ぐことが可能である。
【０００８】
また、本発明のディスプレイ装置は、相手側部材へ取り付けるブラケットとブラケットを覆うようにブラケットに組み付けたガーニッシュと、ブラケットの一端部側に設けたコントローラと、表示部を有しブラケットの他端部側にヒンジを介して回動可能に取り付けた回動部材と、内部空間内を通ってコントローラと表示部とを電気的に接続するフラットケーブルと、ブラケットの内部空間側の面に取り付けられてフラットケーブルをガーニッシュに向けて弾性力で付勢可能なブラケット側弾性部材と、ブラケット側弾性部材からフラットケーブルの長さ方向に離れた位置にあるガーニッシュの内部空間側の面に取り付けられてフラットケーブルを弾性力で付勢可能なガーニッシュ側弾性部材とを備え、ブラケット側弾性部材とガーニッシュ側弾性部材とのうち、ヒンジに最も近い位置に配置した弾性部材をガーニッシュ側弾性部材とした構成とする。この構成により、フラットケーブルがヒンジに最も近い位置にあるガーニッシュ側弾性部材から離れて回動部材へ向かうにあたってブラケット側に沿った位置から離れるので、ヒンジに最も近い位置に配置した弾性部材をブラケット側弾性部材としてガーニッシュ側からフラットケーブルを離れるようにした場合に比べてこの離れていく部分のフラットケーブルの曲率が大きく保たれ、ガーニッシュの内部に留まるフラットケーブルの部分が多くなって緊急退避位置におけるフラットケーブルのはみ出し量を少なくすることができる。したがって、回動部材の緊急退避位置からの戻し時にフラットケーブルが損傷しやすくなるのを防ぐことが可能となる。
【０００９】
また、本発明のディスプレイ装置は、相手側部材へ取り付けるブラケットとブラケットを覆うようにブラケットに組み付けたガーニッシュと、ブラケットの一端部側に設けたコントローラと、表示部を有しブラケットの他端部側にヒンジを介して回動可能に取り付けた回動部材と、内部空間内を通ってコントローラと表示部とを電気的に接続するフラットケーブルと、ブラケットの内部空間側の面に取り付けられてフラットケーブルをガーニッシュに向けて弾性力で付勢可能なブラケット側弾性部材と、ブラケット側弾性部材からフラットケーブルの長さ方向に離れた位置にあるガーニッシュの内部空間側の面に取り付けられてフラットケーブルを弾性力で付勢可能なガーニッシュ側弾性部材とを備え、ブラケット側弾性部材とガーニッシュ側弾性部材とのフラットケーブルを付勢する面がフラットな面である構成とする。この構成により、回動部材が緊急退避するときのフラットケーブルの引きに対し安定した適度な大きさの抵抗力をフラットケーブルに付与でき、またフラットケーブルを傷める虞もない。
【００１０】
また、本発明のディスプレイ装置は、相手側部材へ取り付けるブラケットとブラケットを覆うようにブラケットに組み付けたガーニッシュと、ブラケットの一端部側に設けたコントローラと、表示部を有しブラケットの他端部側にヒンジを介して回動可能に取り付けた回動部材と、内部空間内を通ってコントローラと表示部とを電気的に接続するフラットケーブルと、ブラケットの内部空間側の面に取り付けられてフラットケーブルをガーニッシュに向けて弾性力で付勢可能なブラケット側弾性部材と、ブラケット側弾性部材からフラットケーブルの長さ方向に離れた位置にあるガーニッシュの内部空間側の面に取り付けられてフラットケーブルを弾性力で付勢可能なガーニッシュ側弾性部材とを備え、ガーニッシュ側弾性部材によりブラケットへ向けて付勢されるフラットケーブルの面積を、ブラケット側弾性部材によりガーニッシュへ向けて付勢されるフラットケーブル面積より大きくするとともに、ブラケットは電磁波ノイズからシールド可能な材料からなる構成とする。この構成により、フラットケーブルが外部からの電磁波ノイズの影響を受けるのをできるだけ少なくできる。
【００１１】
また、本発明のディスプレイ装置は、相手側部材へ取り付けるブラケットとブラケットを覆うようにブラケットに組み付けたガーニッシュと、ブラケットの一端部側に設けたコントローラと、表示部を有しブラケットの他端部側にヒンジを介して回動可能に取り付けた回動部材と、内部空間内を通ってコントローラと表示部とを電気的に接続するフラットケーブルと、ブラケットの内部空間側の面に取り付けられてフラットケーブルをガーニッシュに向けて弾性力で付勢可能なブラケット側弾性部材と、ブラケット側弾性部材からフラットケーブルの長さ方向に離れた位置にあるガーニッシュの内部空間側の面に取り付けられてフラットケーブルを弾性力で付勢可能なガーニッシュ側弾性部材とを備え、ブラケット側弾性部材とガーニッシュ側弾性部材とは３個として、これらを交互にブラケットとガーニッシュの内部空間側の面に取り付けた構成とする。この構成により、少ない弾性部材で効果的に回動部材の緊急回避時におけるフラットケーブルの外部へのはみ出し量を小さくすることができる。
【００１２】
また、本発明のディスプレイ装置は、相手側部材へ取り付けるブラケットとブラケットを覆うようにブラケットに組み付けたガーニッシュと、ブラケットの一端部側に設けたコントローラと、表示部を有しブラケットの他端部側にヒンジを介して回動可能に取り付けた回動部材と、内部空間内を通ってコントローラと表示部とを電気的に接続するフラットケーブルと、ブラケットの内部空間側の面に取り付けられてフラットケーブルをガーニッシュに向けて弾性力で付勢可能なブラケット側弾性部材と、ブラケット側弾性部材からフラットケーブルの長さ方向に離れた位置にあるガーニッシュの内部空間側の面に取り付けられてフラットケーブルを弾性力で付勢可能なガーニッシュ側弾性部材とを備え、ブラケット側弾性部材とガーニッシュ側弾性部材がスポンジである構成とする。この構成により、弾性部材を安価に製作でき、またフラットケーブルを傷めることなく押圧することが可能となる。さらにスポンジの角となる端面や全体が容易に高さ方向にたわむことにより、緊急退避時におけるフラットケーブルの引っ張りを許容し、その後の弾性復元でガーニッシュ内へ引き戻すことも可能となる。
【００１３】
また、本発明のディスプレイ装置は、相手側部材へ取り付けるブラケットとブラケットを覆うようにブラケットに組み付けたガーニッシュと、ブラケットの一端部側に設けたコントローラと、表示部を有しブラケットの他端部側にヒンジを介して回動可能に取り付けた回動部材と、内部空間内を通ってコントローラと表示部とを電気的に接続するフラットケーブルと、ブラケットの内部空間側の面に取り付けられてフラットケーブルをガーニッシュに向けて弾性力で付勢可能なブラケット側弾性部材と、ブラケット側弾性部材からフラットケーブルの長さ方向に離れた位置にあるガーニッシュの内部空間側の面に取り付けられてフラットケーブルを弾性力で付勢可能なガーニッシュ側弾性部材とを備え、ブラケット側弾性部材とガーニッシュ側弾性部材とが、表示部のガーニッシュ側への収納時、ヒンジの回動中心軸に対しコントローラと反対側の位置で内部空間から取り出して回動部材へ受け渡すようにした構成とする。この構成により、収納位置からオープン位置の間でフラットケーブルのガーニッシュ側から回動部材の受け渡す部分が外部へ出ないようにし、緊急退避位置でもフラットケーブルの上記受け渡す部分のガーニッシュからのはみ出し量を小さくすることができる。
【００１４】
また、本発明のディスプレイ装置では、相手側部材へ取り付けるブラケットとブラケットを覆うようにブラケットに組み付けたガーニッシュと、ブラケットの一端部側に設けたコントローラと、表示部を有しブラケットの他端部側にヒンジを介して回動可能に取り付けた回動部材と、内部空間内を通ってコントローラと表示部とを電気的に接続するフラットケーブルと、ブラケットの内部空間側の面に取り付けられてフラットケーブルをガーニッシュに向けて弾性力で付勢可能なブラケット側弾性部材と、ブラケット側弾性部材からフラットケーブルの長さ方向に離れた位置にあるガーニッシュの内部空間側の面に取り付けられてフラットケーブルを弾性力で付勢可能なガーニッシュ側弾性部材とを備え、ブラケットを車両の天井側に取り付け、回動部材が、表示部をガーニッシュに対面させる収納位置と、表示部を収納位置より下方に位置させるオープン位置と、表示部を収納位置と反対側まで回動させる緊急退避位置とを取りうる構成とした。この構成により、本発明のディスプレイを車両に適用することができ、表示部による画像等を車室内で楽しみ、使用しないときは収納可能であるとともに、カーブ走行時や急ブレーキ時に身体等が表示部に当たった場合でも、回動部材が回動して表示部を退避させ乗員の安全およびディスプレイ装置の損傷の防止が可能となる。また、このとき外部へのフラットケーブルの引き出し量も少なく、回動部材をこの状態から収納位置へ戻すときフラットケーブルが傷つくのを防止できる。
【００１５】
【発明の実施の形態】
以下、本発明の実施の形態を図面に基づいて説明する。
図２から図４に示すように、ディスプレイ装置１は、取付フックを設けたブラケット３を有し、このブラケット３を介して車両の天井に固定する。ブラケット３は、電磁波ノイズからシールド可能な金属で作られ、プラスティック製のガーニッシュ４が組み付けられる。ブラケット３とガーニッシュ４とが組み付けられた状態では、これら間に内部空間５が形成され、この内部空間５内にフラットケーブル６が挿入可能である。
【００１６】
ブラケット３は、中央部分の車体取付部分３Ａと、この車体取付部分３Ａの一端側から天井側へ向けて傾斜され、コントローラ７が取付られるコントローラ取付部分３Ｂと、車体取付部分３Ａの他端側に一対のヒンジ８Ａ、８Ｂとガーニッシュ４の一端部を取りつけるためのヒンジ取付部分３Ｃとを有する。
なお、ガーニッシュ４は、ブラケット３に取り付けた状態ではヒンジ取付部分３Ｃから車体取付部分３Ａまでブラケット３を覆う。
ガーニッシュ４の一端側は、回動部材９を回動可能に取り付けるヒンジ８Ａ、８Ｂとともにブラケット３のヒンジ取付部分３Ｃに固定する。
ガーニッシュ４の他端側には、ロック解除ボタン１０を設け、回動部材９の先端部分に設けた穴に係合することにより回動部材９を収納位置に保持するロックピンの進退をコントロールすることができる。
【００１７】
なお、回動部材９のガーニッシュ４に対面可能な面側には、表示部１０を設ける。この表示部１０は、液晶を用いて画像等を表示可能であり、コントローラ７には、電子部品等の他、ディスプレイ装置１の操作をするためのスイッチ類を設けてある。ディスプレイ装置１は、車両への取り付け時にコントローラ７がディスプレイ装置１を利用する乗員に近い方へ、またヒンジ８Ａ、８Ｂ側が乗員から遠くなる向きに天井に取り付ける。
【００１８】
一方、図１、図６および図７に示すように、ブラケット３とガーニッシュ４との間の内部空間５内にはフラットケーブル６を通してフラットケーブル６の一端側をコントローラ７に接続するとともに、他端側をガーニッシュ４の一端部側に設けた受渡口４Ａから取り出して回動部材９の受渡口９Ａから回動部材９の内部へ取り込み、表示部１０に接続する。
なお、ガーニッシュ４の受渡口４Ａは、ヒンジ８Ａ、８Ｂの軸、すなわち回動部材９の回動中心軸よりコントローラ７側に位置させ、回動部材９の受渡口９Ａは図６に示す収納位置で上記回動中心軸に関し受渡口４Ａと反対側の位置に来るようにする。
【００１９】
また、ブラケット３とガーニッシュ４との間に形成された内部空間５内には、フラットケーブル６に弾性付勢力を付与するブラケット側弾性部材１２と、これを挟むようにしてブラケット側弾性部材１２の両側にガーニッシュ側弾性部材１１、１３との３個の弾性部材を設ける。これらのブラケット側弾性部材１２とガーニッシュ側弾性部材１１、１３とは、角柱形状のスポンジで製作する。そして、ブラケット側弾性部材１２はこの底面をブラケット３の内部空間側の面に、またガーニッシュ側弾性部材１１、１３はこれらの底面をガーニッシュ４の内部空間側の面にそれぞれ接着剤等で固着する。
また、ヒンジ８Ａ、８Ｂ側に位置するガーニッシュ側弾性部材１３は、できるだけガーニッシュ４の受渡口４Ａの近くに位置させるとともに、ガーニッシュ側弾性部材１３とブラケット側弾性部材１２との間、およびガーニッシュ側弾性部材１１とブラケット側弾性部材１２との間にそれぞれ隙間を設ける。
【００２０】
一方、フラットケーブル６は、コントローラ7側にあるガーニッシュ側弾性部材１１に接触する部分が、ガーニッシュ側弾性部材１１の弾性付勢力によりブラケット３の内部空間５側の面に押しつけられる。また、ブラケット側弾性部材１２に接触するフラットケーブル６の部分は、ブラケット側弾性部材１２の弾性力によりガーニッシュ４の内部空間５側の面に押しつけられる。ガーニッシュ側弾性部材１３に接触するフラットケーブル６の部分は、ガーニッシュ側弾性部材１３の弾性力によりブラケット３へ押圧される。
したがって、フラットケーブル６は、上記３個の弾性部材１１、１２、１３間で蛇行し、ヒンジ８Ａ、８Ｂ側のガーニッシュ側弾性部材１３から回動部材９へ向かう部分がブラケット3側に沿ってここから回動部材９へ向かうことになる。
【００２１】
なお、上記ディスプレイ装置１の組立てにあっては、図５に示すようにブラケット３の車両側取付部分３Ａの内部空間５側の面にブラケット側弾性部材１２を、またガーニッシュ４の内部空間５側の面にガーニッシュ側弾性部材１１、１３をそれぞれ固着する。
また、回動部材９に表示部１０を設けるとともに、表示部１０にフラットケーブル６の一端を接続して回動部材９の内部を通し、回動部材９の受渡口９Ａから他端側を取り出しておく。この後、回動部材９をヒンジ８Ａ、８Ｂを介してガーニッシュ４と組み合わせ、フラットケーブル６の他端側をガーニッシュ側弾性部材１１、１３の上を通してコントローラ７に接続する。次いで、ガーニッシュ４とフラットケーブル６の上からブラケット３を被せると、フラットケーブル６が図６の蛇行状態になるので、この状態でブラケット３とガーニッシュ４を組み付ける。
【００２２】
次に、上記ディスプレイ装置１の動作について説明する。
図２および図６に示すように、ディスプレイ装置１を使用せず表示部１０をガーニッシュ４に対面させた収納位置では、回動部材９は、ロックピンで同図の位置に保持されている。また、フラットケーブル６は、ブラケット３とガーニッシュ４との間の内部空間５内で蛇行しており、ヒンジ８Ａ、８Ｂ側のガーニッシュ側弾性部材１３からブラケット３の内面に沿って、回動部材９の回動中心軸に関しコントローラ７とは反対側に位置にある回動部材９の受渡口９Ａまで大きな曲率で伸びている。この場合、フラットケーブル６のガーニッシュ４の受渡口４Ａと回動部材９の受渡口９Ａとの間にある部分がガーニッシュ４や回動部材９から外部へ出ることはない。
【００２３】
乗員がロック解除ボタン１０を押してロックピンを回動部材９の穴から抜き表示部１０が下方に来るよう回動部材９を回動して図３および図７に示すオープン位置にすると、表示部１０がコントローラ7側にいる乗員の見やすい位置にくる。このとき、回動部材９の受渡口９Ａが回動部材９の回動中心軸に関しコントローラ７側に来るものの、ガーニッシュ４から外部へ出ることはない。したがって、フラットケーブル６もガーニッシュ４や回動部材９から外部へ出ることなく、これらの内部に留まる。このとき、フラットケーブル６のガーニッシュ側弾性部材１３からコントローラ７側にある部分は、収納位置にあるときと変わらず、ガーニッシュ側弾性部材１３から表示部１０へ向かうフラットケーブル６の部分がガーニッシュ４内で変形するだけである。この変形も、フラットケーブル６のヒンジ８Ａ、８Ｂ側のガーニッシュ側弾性部材１３から離れる部分がブラケット３の内面側から出るので、フラットケーブル６の曲率をできるだけ大きく保ち、ガーニッシュ４内に留める。
【００２４】
一方、図１に示すように、ディスプレイ装置１をオープン位置にした状態の表示部１０に乗員の身体等が当たり表示部１０をコントローラ７から遠ざける方向に回動させる緊急退避位置まで回動部材９が回動すると、回動部材９の受渡口９Ａがガーニッシュ４から外部へ出てしまい、フラットケーブル６の一部がガーニッシュ４の受渡口４Ａから外部へ引き出されてしまう。
このフラットケーブル６の引き出しにあっては、弾性部材１１、１２、１３がこれらのフラットな面でフラットケーブル６をブラケット３あるいはガーニッシュ４の内面に押しつけ発生する摩擦力と弾性部材１１、１２、１３の圧縮変形やせん断方向の変形によりフラットケーブル６の引き出し量を小さくする。
【００２５】
フラットケーブル６が急激に引かれた場合、一直線状になろうとして弾性部材１１、１２、１３を高さ方向へ圧縮し、かつせん断方向へ弾性変形させる。これにより、フラットケーブル６が引かれたときフラットケーブル６の移動を許容してフラットケーブル６の損傷を防ぐとともに、回動部材９の急激な退避動作を保証する。上記たわみにあっては、弾性部材１１、１２、１３全体も高さ方向にたわむが、弾性部材１１、１２、１３の角、すなわち端部も大きくたわむ。また中でもとりわけヒンジ８Ａ、８Ｂに最も近いガーニッシュ側弾性部材１３が圧縮されるので、ヒンジ８Ａ、８Ｂに最も近い弾性部材をブラケット側弾性部材とした場合に比べ、逃がし効果が大きくなる。
回動部材の回動が終了すると、弾性部材１１、１２、１３が自身の弾性力で元の位置に戻り、このとき引き出されたフラットケーブル６の一部分をガーニッシュ４内に引き戻す。したがって、このときの引き出し量は小さくなり、この状態から収納位置まで回動部材を戻す場合も、フラットケーブル６が回動部材９とガーニッシュ４に挟まれて損傷するのを防ぐことができる。
【００２６】
以上説明したように、本実施の態様のディスプレイ装置１は、緊急退避位置まで回動部材９が回動しても、弾性部材１１、１２、１３がフラットケーブル６のガーニッシュ４や回動部材９からの外部への引き出し量を小さく抑えることができる。したがって、緊急退避位置から収納位置まで回動部材を戻した場合に、フラットケーブル６が回動部材９とガーニッシュ４に挟まれて損傷するのを防ぐことができる。
また、フラットケーブル６の内部空間５内にある部分のうち、ブラケット３に押圧される部分の方をガーニッシュ４に押圧される部分より多くし、ブラケット３を電磁気からシールド可能な材料で作ったので、フラットケーブル６が他からの電磁波ノイズの影響を受ける可能性を低くできる。
また、弾性付勢部材を３個のスポンジで製作すると、少ない個数で張り出し量を効果的に抑えることができる。
さらに、ブラケット３とガーニッシュ４との間の内部空間５内にあるフラットケーブル６が車両の振動等に伴ってばたつき発生する異音（ラトルノイズ）や、回動部材９の回動時に発生するブラケット３やガーニッシュ４とフラットケーブル６との間で発生する摺動音を低減することもできる。
【００２７】
なお、上記実施の形態では、コントローラ７をブラケット３の車体取付部分３Ａに直接、またや回動部材９をヒンジ８Ａ、８Ｂを介してガーニッシュ４とともにブラケット３のコントローラ取付部分３Ｂにそれぞれ取り付けているが、ガーニッシュ４を金属などの硬質な材料で作ってこの一端部側にコントローラ７を、また他端部側に回動部材９をヒンジ８Ａ、８Ｂを介して取り付けた上で、このガーニッシュ４をブラケット３に固定するようにしてもよい。
【００２８】
【発明の効果】
以上説明したように、本発明は、表示部を有する回動部材が緊急退避位置まで動かされた場合でもフラットケーブルが回動部材やガーニッシュから外部へ大きくはみ出すのを抑止することができるディスプレイ装置を提供できるものである。
【図面の簡単な説明】
【図１】本発明の実施の形態にかかるディスプレイ装置の緊急退避位置での断面図
【図２】本発明の実施の形態にかかるディスプレイ装置の収納位置での斜視図
【図３】本発明の実施の形態にかかるディスプレイ装置のオープン位置での斜視図
【図４】本発明の実施の形態にかかるディスプレイ装置の分解図
【図５】本発明の実施の形態にかかるディスプレイ装置の組立方法の説明図
【図６】本発明の実施の形態にかかるディスプレイ装置の収納位置での断面図
【図７】本発明の実施の形態にかかるディスプレイ装置のオープン位置での断面図
【符号の説明】
１  ディスプレイ装置
３  ブラケット
４  ガーニッシュ
４Ａ  受渡口
５  内部空間
６  フラットケーブル
７  コントローラ
８Ａ、８Ｂ  ヒンジ
９  回動部材
１０  表示部
１１  ガーニッシュ側弾性部材
１２  ブラケット側弾性部材
１３  ガーニッシュ側弾性部材
【図１】
0003923361.tif 000002
【図２】
0003923361.tif 000003
【図３】
0003923361.tif 000004
【図４】
0003923361.tif 000005
【図５】
0003923361.tif 000006
【図６】
0003923361.tif 000007
【図７】
0003923361.tif 000008